(57)【要約】【課題】使用者の足指の把持力も鍛えられるように工夫した揺動型運動装置を提供する。【解決手段】使用者が跨って着座可能な座部１１と、この座部１１を揺動運動させる運動機構１２と、座部１１の左右位置に吊下げられて使用者が足先を載せるあぶみ１５とを備えた揺動型運動装置１０である。あぶみ１５の足先載せ部１５ｂに、使用者が足指Ｍで把持可能な高さの突条１８が設けられている。あぶみ１５の足先載せ部１５ｂに設けた突条１８を使用者が足指Ｍで把持することで、使用者の足指Ｍの把持力も鍛えられるようになる。【選択図】図４
2010012156.tif 000002
【特許請求の範囲】
【請求項１】
使用者が跨って着座可能な座部と、この座部を揺動運動させる運動機構と、前記座部の左右位置に吊下げられて使用者が足先を載せるあぶみとを備えた揺動型運動装置において、
前記あぶみの足先載せ部に、使用者が足指で把持可能な高さの突条が設けられていることを特徴とする揺動型運動装置。
【請求項２】
前記突条は、弾力を有することを特徴とする請求項１に記載の揺動型運動装置。
【請求項３】
前記突条は、足先載せ部に着脱可能であることを特徴とする請求項１または２に記載の揺動型運動装置。
【発明の詳細な説明】
【技術分野】
【０００１】
本発明は、座部を揺動運動させることで、座部に着座した使用者に運動負荷を付与する揺動型運動装置に関するものである。
【背景技術】
【０００２】
前記のような揺動型運動装置は、子供から老人まで利用可能な手軽な運動器具として、当初のスポーツクラブから、一般家庭へと普及してきている。
【０００３】
このような揺動型運動装置としては、運動機構に設けた鞍状の座部に使用者が跨って着座するとともに、この座部の左右位置に吊下げたあぶみに使用者が足先を載せた状態おいて、座部を揺動運動させるようにしたものがある（例えば、特許文献１参照）。
【０００４】
また、使用者は、あぶみに足先を載せた状態で足を突っ張ることにより、大腿部等を鍛えることもできる。
【特許文献１】特開２００６−２３０５３２号公報
【発明の開示】
【発明が解決しようとする課題】
【０００５】
ところで、高齢になると、足指の把持力が衰えて躓きやすくなることから、床に置いたタオル等を足指で掴んで、足指の把持力を鍛える訓練が行われている。
【０００６】
そこで、揺動型運動装置において、使用者の足指の把持力も鍛えられるようにしたいという要望があった。
【０００７】
本発明は、前記要望に応えるためになされたもので、使用者の足指の把持力も鍛えられるように工夫した揺動型運動装置を提供することを目的とするものである。
【課題を解決するための手段】
【０００８】
前記課題を解決するために、本発明は、使用者が跨って着座可能な座部と、この座部を揺動運動させる運動機構と、前記座部の左右位置に吊下げられて使用者が足先を載せるあぶみとを備えた揺動型運動装置において、前記あぶみの足先載せ部に、使用者が足指で把持可能な高さの突条が設けられていることを特徴とする揺動型運動装置を提供するものである。
【０００９】
請求項２のように、請求項１において、前記突条は、弾力を有することが好ましい。
【００１０】
請求項３のように、請求項１または２において、前記突条は、足先載せ部に着脱可能であることが好ましい。
【発明の効果】
【００１１】
本発明によれば、あぶみの足先載せ部に設けた突条を使用者が足指で把持することで、使用者の足指の把持力も鍛えられるようになる。また、あぶみの足先載せ部に突条を設けるだけであるから、構造がきわめて簡単でコスト安である。
【００１２】
請求項２によれば、突条は弾力を有するから、弾力の無い硬いものと比べて、足指で把持したときの感触が良好になる。
【００１３】
請求項３によれば、突条が足先載せ部に着脱可能であれば、突条を足先載せ部から取り外せば、足先を載せるだけのあぶみとして使用することができる。
【発明を実施するための最良の形態】
【００１４】
以下、本発明を実施するための最良の形態について、図面を参照しながら詳細に説明する。
【００１５】
図１は揺動型運動装置１０の斜視図、図２は側面図である。この揺動型運動装置１０は、使用者が跨って着座可能な座部１１と、この座部１１を揺動運動させる運動機構１２と、前記座部１１の高さを調節する昇降機構１３とを備えている。
【００１６】
また、前記座部１１の左右位置の上ヒンジピン１４に、上吊下げ部１５ｃの上端が前後回動可能に吊下げられ、この上吊下げ部１５ｃの下端に使用者が足先を載せる足先載せ部１５ｂを有するあぶみ（鐙）１５の下吊下げ部１５ｄが吊下げられている。
【００１７】
前記座部１１側と運動機構１２側との間の隙間は、伸縮自在な目隠し用カバー２０で覆うことが好ましい。なお、１６は、座部１１の前部に前後揺動可能に設けたハンドルである。
【００１８】
前記運動機構１２は、具体的に図示しないが、内蔵された電動モータ、クランクアーム等によって、座部１１を前後方向、左右方向、上下方向に３次元的に揺動運動させるものである。
【００１９】
前記昇降機構１３は、具体的に図示しないが、内蔵された電動モータ、ラック・ピニオン（若しくはねじ軸）等によって、座部１１を上昇位置Ｕと下降位置Ｄとに昇降させて、座部１１の高さを調節するものである。
【００２０】
前記座部１１の前下部の左右位置に逆Ｌ字状の取付け金具１７が固定され、この取付け金具１７に前記上ヒンジピン１４が側方に突出して固定されている。
【００２１】
前記あぶみ１５は合成樹脂成型品であり、上吊下げ部１５ｃの上端穴１５ｅを前記上ヒンジピン１４に側方から着脱可能に嵌め込むことにより、上ヒンジピン１４に上吊下げ部１５ｃの上端が前後回動可能に吊下げられることになる。この上吊下げ部１５ｃの下端には、下ヒンジピン１５ｆが固定されている。
【００２２】
前記下吊下げ部１５ｄの下端には、前記足先載せ部１５ｂが一体的に設けられるとともに、この下吊下げ部１５ｄには、前記座部１１に対するあぶみ１５の高さ調節用穴１５ｇが上下方向に多段（本例では４段）で形成されている。この調節用穴１５ｇの１つを前記上吊下げ部１５ｃの下ヒンジピン１５ｆに側方から着脱可能に嵌め込むことにより、下ヒンジピン１５ｆに下吊下げ部１５ｄが前後回動可能に吊下げられることになる。
【００２３】
図３に示すように、前記あぶみ１５の足先載せ部１５ｂは、正面視で略逆Ｕ字形状に形成されて、この略逆Ｕ字形状の下端同士の連結部１５ｈがフラットに形成され、この連結部１５ｈに足先を載せるようになっている。
【００２４】
図３および図４に詳細に示すように、前記あぶみ１５の足先載せ部１５ｂの連結部１５ｈの上面には、使用者が足指Ｍ全体で上方から前後方向に把持可能な高さで、幅方向に延在する突条１８が設けられている。
【００２５】
この突条１８は、例えば弾性を有するエラストマーで成形されている。この突条１８は、連結部１５ｂの上に載せる平面部１８ａの上面前部に、上方に略三角形状で立ち上がるように一体形成されている。この平面部１８ａの上面には、滑り止め用の凹凸条１８ｂが幅方向に一定の間隔で形成されている。この突条１８の弾性の目安としては、５０度程度の硬度であるのが好ましい。
【００２６】
この平面部１８ｂの下面には、外向きフック１８ｃが一体形成されているとともに、あぶみ１５の足先載せ部１５ｂの連結部１５ｈの上面には、このフック１８ｃを係止するフック穴１５ｊが形成されている。
【００２７】
そして、突条１８の平面部１８ｂを、あぶみ１５の足先載せ部１５ｂの連結部１５ｈに宛いながら、フック１８ｃを撓ませつつフック穴１５ｊに嵌め込むことで、突条１８を足先載せ部１５ｂの連結部１５ｈの上面に取り付けることができる。その後、突条１８を強い力で上方に持ち上げることで、フック１８ｃを撓ませつつフック穴１５ｊから抜き外すことで、突条１８を足先載せ部１５ｂの連結部１５ｈから取り外すことができる。
【００２８】
なお、突条１８は、足先載せ部１５ｂの連結部１５ｈに対して必ずしも着脱可能である必要は無く、足先載せ部１５ｂの成形時に、弾性を有する突条１８を２色成形で一体的に設けることもできる。
【００２９】
前記揺動型運動装置１０であれば、座部１１に使用者が跨って着座するとともに、この座部１１のあぶみ１５の足先載せ部１５ｂに使用者が足先を載せた状態おいて、座部１１を揺動運動させることにより、使用者に運動負荷が付与されるようになる。
【００３０】
また、使用者は、あぶみ１５に足先を載せた状態で足を突っ張ることにより、大腿部等を鍛えることもできる。
【００３１】
さらに、使用者は、あぶみ１５の足先載せ部１５ｂに設けた突条１８を、図４のように上方から足指Ｍ全体で前後方向に強く把持することで、使用者の足指Ｍの把持力も鍛えられるようになる。また、あぶみ１５の足先載せ部１５ｂに突条１８を設けるだけであるから、構造がきわめて簡単でコスト安である。
【００３２】
さらに、突条１８は弾力を有するから、弾力の無い硬いものと比べて、足指Ｍで把持したときの感触が良好になる。
【００３３】
また、突条１８が足先載せ部１５ｂに着脱可能であれば、突条１８を足先載せ部１５ｂから取り外せば、足先を載せるだけのあぶみ１５として使用することができる。
【図面の簡単な説明】
【００３４】
【図１】本発明の実施形態の揺動型運動装置の斜視図である。
【図２】図１の揺動型運動装置の側面図である。
【図３】背面側から見たあぶみの要部斜視図である。
【図４】足先を載せたあぶみの要部側面断面図である。
【符号の説明】
【００３５】
１０    揺動型運動装置
１１    座部
１２    運動機構
１５    あぶみ
１５ｂ  足先載せ部
１５ｈ  連結部
１５ｊ  フック穴
１８    突条
１８ａ  平面部
１８ｃ  フック
Ｍ      使用者の足指
【図１】
2010012156.tif 000003
【図２】
2010012156.tif 000004
【図３】
2010012156.tif 000005
【図４】
2010012156.tif 000006